(57)【特許請求の範囲】
【請求項１】
オーガスクリューとその先端に取り付けられたオーガヘッドとを回転させて掘削を行うオーガ工法により、地盤に設置された杭を除去する既存杭の粉砕除去装置であって、
前記オーガヘッドの前方から後方にかけてその周囲を覆うよう、前記オーガスクリューに固定されて前記オーガスクリューとともに回転するよう設けられたケーシングを有し、
前記ケーシングは、回転掘削しながら前記杭の周囲の地盤に挿入されたとき前記杭の外周を切削可能に、前記オーガヘッドより前方の内周面に中心軸方向に向かって突出する複数の内部カッターを有し、回転掘削しながら前記杭の周囲の根固めに挿入されたとき前記根固めを粉砕可能に、外周面に放射状に突出する複数の外部カッターを有し、各外部カッターは、前記ケーシングの先端からの距離がそれぞれ異なる位置に、前記ケーシングの先端側から後端側に向かって、前記ケーシングの外周面からの突出量が大きくなるよう設けられており、
前記オーガヘッドは、前記ケーシングが前記杭の外周を切削するとき、前記オーガスクリューとともに回転して、前記杭を頭部から粉砕するよう設けられ、
前記オーガスクリューは、前記オーガヘッドにより粉砕された前記杭の粉砕物を地上まで搬出するよう回転可能に設けられていることを
特徴とする既存杭の粉砕除去装置。
【請求項２】
前記ケーシングは、後端部が前記オーガスクリューの先端部に固定されていることを特徴とする請求項１記載の既存杭の粉砕除去装置。
【請求項３】
前記ケーシングは、前記オーガヘッドより後方の側面に貫通する複数の側面開口を有していることを特徴とする請求項１または２のいずれか１項に記載の既存杭の粉砕除去装置。
【請求項４】
前記オーガスクリューは、前記ケーシングの後端より後方側で分割可能であることを特徴とする請求項１乃至３のいずれか１項に記載の既存杭の粉砕除去装置。
【請求項５】
オーガスクリューとその先端に取り付けられたオーガヘッドとを回転させて掘削を行うオーガ工法により、地盤に設置された杭を除去する既存杭の粉砕除去方法であって、
前記オーガヘッドの前方から後方にかけてその周囲を覆うよう、前記オーガスクリューに固定されて前記オーガスクリューとともに回転するよう設けられたケーシングを有し、
前記ケーシングは、回転掘削しながら前記杭の周囲の地盤に挿入されたとき前記杭の外周を切削可能に、前記オーガヘッドより前方の内周面に中心軸方向に向かって突出する複数の内部カッターを有し、回転掘削しながら前記杭の周囲の根固めに挿入されたとき前記根固めを粉砕可能に、外周面に放射状に突出する複数の外部カッターを有し、各外部カッターは、前記ケーシングの先端からの距離がそれぞれ異なる位置に、前記ケーシングの先端側から後端側に向かって、前記ケーシングの外周面からの突出量が大きくなるよう設けられており、
前記ケーシングを回転掘削により前記杭の周囲の地盤および前記根固めに挿入し、各内部カッターで前記杭の外周を切削するとともに、各外部カッターで前記根固めを粉砕しつつ、前記オーガヘッドで前記杭を頭部から粉砕し、前記オーガヘッドにより粉砕された前記杭の粉砕物および粉砕された前記根固めを、前記オーガスクリューで地上まで搬出することを
特徴とする既存杭の粉砕除去方法。
【請求項６】
各内部カッターで前記杭の外周を切削しつつ、前記オーガヘッドで前記杭を頭部から粉砕するとともに、前記杭の継ぎ部を挟む上下の杭の外周を各内部カッターで切削した後、前記オーガヘッドで前記継ぎ部に衝撃を加えて前記継ぎ部を前記杭から分離し、前記継ぎ部を前記杭の粉砕物とともに前記オーガスクリューで地上まで搬出することを特徴とする請求項５記載の既存杭の粉砕除去方法。
【発明の詳細な説明】
【技術分野】
【０００１】
本発明は、既存杭の粉砕除去装置および既存杭の粉砕除去方法に関する。
【背景技術】
【０００２】
従来、地盤に設置された既存のコンクリート杭を粉砕、除去する方法として、内側のオーガスクリューおよびその先端に取り付けられたオーガヘッドと外側のケーシングとを互いに逆回転させて掘削を行うオーガ工法を利用した方法が開発されている（例えば、特許文献１参照）。本発明者が開発したその方法によれば、杭の継ぎ部に鉄板が設けられている場合にも、ケーシングの内周に突出して設けられた複数の内部カッターにより、杭の外周を切削して継ぎ部を除去し、杭を残さず除去することが可能となる。
【先行技術文献】
【特許文献】
【０００３】
【特許文献１】特許第４８５１６３２号公報
【発明の概要】
【発明が解決しようとする課題】
【０００４】
しかしながら、特許文献１に記載のオーガ工法を利用した既存杭の粉砕除去方法は、汎用機種の単軸式アースオーガ装置には対応していないという課題があった。
【０００５】
本発明は、このような課題に着目してなされたもので、汎用機種の単軸式アースオーガ装置に対応可能で、設備コストの低減を図ることができる既存杭の粉砕除去装置および既存杭の粉砕除去方法を提供することを目的としている。
【課題を解決するための手段】
【０００６】
上記目的を達成するために、本発明に係る既存杭の粉砕除去装置は、オーガスクリューとその先端に取り付けられたオーガヘッドとを回転させて掘削を行うオーガ工法により、地盤に設置された杭を除去する既存杭の粉砕除去装置であって、前記オーガヘッドの前方から後方にかけてその周囲を覆うよう、前記オーガスクリューに固定されて前記オーガスクリューとともに回転するよう設けられたケーシングを有し、前記ケーシングは、回転掘削しながら前記杭の周囲の地盤に挿入されたとき前記杭の外周を切削可能に、前記オーガヘッドより前方の内周面に中心軸方向に向かって突出する複数の内部カッターを有し、回転掘削しながら前記杭の周囲の根固めに挿入されたとき前記根固めを粉砕可能に、外周面に放射状に突出する複数の外部カッターを有し、各外部カッターは、前記ケーシングの先端からの距離がそれぞれ異なる位置に、前記ケーシングの先端側から後端側に向かって、前記ケーシングの外周面からの突出量が大きくなるよう設けられており、前記オーガヘッドは、前記ケーシングが前記杭の外周を切削するとき、前記オーガスクリューとともに回転して、前記杭を頭部から粉砕するよう設けられ、前記オーガスクリューは、前記オーガヘッドにより粉砕された前記杭の粉砕物を地上まで搬出するよう回転可能に設けられていることを特徴とする。
【０００７】
本発明に係る既存杭の粉砕除去方法は、オーガスクリューとその先端に取り付けられたオーガヘッドとを回転させて掘削を行うオーガ工法により、地盤に設置された杭を除去する既存杭の粉砕除去方法であって、前記オーガヘッドの前方から後方にかけてその周囲を覆うよう、前記オーガスクリューに固定されて前記オーガスクリューとともに回転するよう設けられたケーシングを有し、前記ケーシングは、回転掘削しながら前記杭の周囲の地盤に挿入されたとき前記杭の外周を切削可能に、前記オーガヘッドより前方の内周面に中心軸方向に向かって突出する複数の内部カッターを有し、回転掘削しながら前記杭の周囲の根固めに挿入されたとき前記根固めを粉砕可能に、外周面に放射状に突出する複数の外部カッターを有し、各外部カッターは、前記ケーシングの先端からの距離がそれぞれ異なる位置に、前記ケーシングの先端側から後端側に向かって、前記ケーシングの外周面からの突出量が大きくなるよう設けられており、前記ケーシングを回転掘削により前記杭の周囲の地盤および前記根固めに挿入し、各内部カッターで前記杭の外周を切削するとともに、各外部カッターで前記根固めを粉砕しつつ、前記オーガヘッドで前記杭を頭部から粉砕し、前記オーガヘッドにより粉砕された前記杭の粉砕物および粉砕された前記根固めを、前記オーガスクリューで地上まで搬出することを特徴とする。
【０００８】
また、本発明に係る既存杭の粉砕除去方法は、各内部カッターで前記杭の外周を切削しつつ、前記オーガヘッドで前記杭を頭部から粉砕するとともに、前記杭の継ぎ部を挟む上下の杭の外周を各内部カッターで切削した後、前記オーガヘッドで前記継ぎ部に衝撃を加えて前記継ぎ部を前記杭から分離し、前記継ぎ部を前記杭の粉砕物とともに前記オーガスクリューで地上まで搬出することが好ましい。
【０００９】
本発明に係る既存杭の粉砕除去装置は、地盤に設置された杭を除去するために、以下のようにして使用される。まず、オーガスクリューとともにケーシングおよびオーガヘッドを回転させ、ケーシングを回転掘削させながら杭の周囲の地盤に挿入する。このとき、ケーシングの挿入とともに、ケーシングの内周面に中心軸方向に向かって突出するよう設けられた複数の内部カッターにより、杭の外周を切削することができる。杭の外周を切削しつつケーシングをさらに地盤に挿入させると、ケーシングの内側で回転するオーガヘッドが杭の頭部に達し、オーガヘッドにより杭を頭部から粉砕することができる。このとき、あらかじめ各内部カッターにより杭の外周が切削されているため、オーガヘッドで容易に杭を粉砕することができる。また、その粉砕物をオーガスクリューにより地上まで搬出することができる。
また、本発明に係る既存杭の粉砕除去装置は、地盤に設置された杭の基部に、セメントミルクによる根固めが設けられていても、複数の外部カッターにより、その根固めを容易に粉砕することができ、工事コストの削減を図ることができる。また、各外部カッターが、ケーシングの先端からの距離がそれぞれ異なる位置に、ケーシングの先端側から後端側に向かって、ケーシングの外周面からの突出量が大きくなるよう設けられているため、ケーシングを深く挿入するに従って、外部カッターによる根固めの切削量を徐々に増やすことができる。
【００１０】
鉄板などの杭の継ぎ部が存在する場合には、各内部カッターが鉄板の側面を滑るようにして通過し、鉄板より下の杭の外周を切削する。これにより、継ぎ部の上下の杭の外周を切削することができる。この状態でオーガヘッドが杭を破砕しつつ継ぎ部に衝撃を加えると、その継ぎ部に加えられた衝撃力により、継ぎ部の下の切削された部分を破壊することができる。これにより、継ぎ部を杭から分離し、オーガスクリューにより杭の破砕物とともに地上に搬出することができる。なお、オーガスクリューで搬出できずに地中に杭の粉砕物や継ぎ部が残っていても、ハンマーグラブ等を利用することにより容易に除去することができる。
【００１１】
このように、本発明に係る既存杭の粉砕除去装置によれば、本発明に係る既存杭の粉砕除去方法を好適に実施することができる。本発明に係る既存杭の粉砕除去装置は、例えば、単軸式アースオーガ装置のオーガスクリューにケーシングを固定すればよく、二軸同軸式アースオーガ装置よりも安価に構成することができ、設備コストの低減を図ることができる。また、ケーシングも、オーガスクリュー全体を覆う必要がなく、短くすることができ、さらに設備コストを低減することができる。
【００１２】
本発明に係る既存杭の粉砕除去装置および既存杭の粉砕除去方法は、各内部カッターで杭の外周を切削することにより、杭の粉砕や継ぎ部の除去が容易になるため、オーガヘッドやオーガスクリューの損耗を抑制することができる。各内部カッターは、例えば超硬チップなど、杭の外周のコンクリートや内部の鉄筋を切削容易な材料から成ることが好ましい。各内部カッターは、ケーシングの長さ方向に移動させて任意の位置で固定可能となっていてもよい。この場合、継ぎ目の厚さや杭の強度などに応じて各内部カッターの上下方向の間隔を調整することができる。
【００１３】
また、各内部カッターは、ケーシングの先端からの距離がそれぞれ異なる位置に、ケーシングの先端側から後端側に向かって、ケーシングの内周面からの突出量が大きくなるよう設けられていることが好ましい。この場合、ケーシングを深く挿入するに従って、内部カッターによる杭の外周の切削量を徐々に増やすことができる。鉄板などの杭の継ぎ部の部分では、ケーシングの先端側の内部カッターほど突出量が小さく、鉄板の側面を通過しやすいため、鉄板より下の杭の外周の切削が容易となり、継ぎ部を容易に除去することができる。
【００１４】
本発明に係る既存杭の粉砕除去装置および既存杭の粉砕除去方法で、前記ケーシングは、後端部が前記オーガスクリューの先端部に固定されていることが好ましい。この場合、ケーシングは、その長さ方向に沿って、複数箇所または所定の範囲に渡って固定されていることが好ましい。ケーシングは、例えば、オーガスクリューの先端部の羽根の外周縁に固定されていてもよく、オーガスクリューから放射状に伸びる補強リブなどにより、中心軸に対して回転対称を成す複数の位置で固定されていてもよい。
【００１６】
本発明に係る既存杭の粉砕除去装置で、各外部カッターは、ケーシングの長さ方向に移動させて任意の位置で固定可能となっていてもよい。この場合、根固めの強度などに応じて各外部カッターの上下方向の間隔を調整することができる。
【００１７】
なお、各内部カッターおよび各外部カッターをケーシングの長さ方向に移動させて任意の位置で固定する構成は、例えば、ケーシングの側面にケーシングの長さ方向に沿って溝孔を設け、各内部カッターまたは各外部カッターにボルトを固定し、そのボルトを溝孔に貫通させてケーシングの外周側または内周側で埋設したナットに螺合することにより設計可能である。また、ボルトを溝孔に貫通させ、ケーシングの外周側または内周側で埋設したナットに螺合してボルトをケーシングに固定し、ケーシングの内周側で突出するボルトの端部に内部カッターを固定し、ケーシングの外周側で突出するボルトの端部に外部カッターを固定することにより、各内部カッターおよび各外部カッターを共通するボルトに固定してもよい。
【００１８】
本発明に係る既存杭の粉砕除去装置および既存杭の粉砕除去方法で、前記ケーシングは、前記オーガヘッドより後方の側面に貫通する複数の側面開口を有していることが好ましい。この場合、側面開口により、杭の破砕物や継ぎ部、根固めの破砕物が、オーガスクリューとケーシングとの間で目詰まりするのを防ぐことができ、それらをスムーズに地上まで搬出することができる。各側面開口は、例えば、オーガスクリューの羽根と羽根との間に、螺旋状に設けられていてもよい。
【００１９】
本発明に係る既存杭の粉砕除去装置および既存杭の粉砕除去方法で、前記オーガスクリューは、前記ケーシングの後端より後方側で分割可能であることが好ましい。この場合、オーガスクリューを小さく分割して運搬や取扱いを容易にすることができる。また、ケーシングからずれた位置でオーガスクリューの分割や組立を行うため、分割や組立を比較的スムーズに行うことができる。
【発明の効果】
【００２０】
本発明によれば、汎用機種の単軸式アースオーガ装置に対応可能で、設備コストの低減を図ることができる既存杭の粉砕除去装置および既存杭の粉砕除去方法を提供することができる。
【図面の簡単な説明】
【００２１】
【図１】本発明の実施の形態の既存杭の粉砕除去装置および既存杭の粉砕除去方法を示す（ａ）縦断面図、（ｂ）横断面図である。
【図２】本発明の実施の形態の既存杭の粉砕除去装置を示す（ａ）正面図、（ｂ）右側面図である。
【発明を実施するための形態】
【００２２】
以下、図面に基づき、本発明の実施の形態について説明する。
図１および図２は、本発明の実施の形態の既存杭の粉砕除去装置および既存杭の粉砕除去方法を示している。
図１および図２に示すように、既存杭の粉砕除去装置１０は、ケーシング１１とオーガヘッド１２とオーガスクリュー１３とを有し、オーガスクリュー１３とその先端に取り付けられたオーガヘッド１２とを回転させて掘削を行うオーガ工法により、地盤に設置された杭１、杭１の継ぎ部２および根固め３を除去するよう構成されている。
【００２３】
図１（ａ）および図２に示すように、ケーシング１１は、円筒状を成し、オーガヘッド１２の前方から後方にかけてその周囲を覆うよう、後端部がオーガスクリュー１３の先端部に固定されている。図１（ｂ）に示すように、ケーシング１１は、内周面がオーガスクリュー１３の先端部の羽根１３ａの外周縁に、溶接により固定されている。これにより、ケーシング１１は、オーガスクリュー１３とともに同じ方向に回転するよう構成されている。なお、ケーシング１１は、オーガスクリュー１３から放射状に伸びる補強リブにより、中心軸に対して回転対称を成す複数の位置で固定されていてもよい。
【００２４】
図１（ａ）および図２に示すように、ケーシング１１は、地盤に挿入可能に先端にケーシングビット２１を有している。また、ケーシング１１は、オーガヘッド１２より前方の内周面に、複数の内部カッター２２を有している。各内部カッター２２は、超硬チップから成り、ケーシング１１の先端からの距離がそれぞれ異なる位置に、ケーシング１１の中心軸方向に向かって突出して設けられている。各内部カッター２２は、ケーシング１１の先端側から後端側に向かって、ケーシング１１の内周面からの突出量が大きくなるように設定されている。各内部カッター２２は、除去する杭１の周囲の地盤に、杭１が中心に位置するよう回転掘削してケーシング１１を挿入したとき、杭１の外周を切削可能に構成されている。
【００２５】
また、ケーシング１１は、先端側の外周面に放射状に突出する複数の外部カッター２３を有している。各外部カッター２３は、超硬チップから成り、ケーシング１１の先端からの距離がそれぞれ異なる位置に、異なる方向で突出して設けられている。各外部カッター２３は、ケーシング１１の先端側から後端側に向かって、ケーシング１１の外周面からの突出量が大きくなるように設定されている。各外部カッター２３は、回転掘削しながら杭１の周囲の根固め３に挿入されたとき、根固め３を粉砕可能に構成されている。
【００２６】
また、ケーシング１１は、オーガヘッド１２より後方の側面に、厚さ方向に貫通する複数の側面開口２４を有している。各側面開口２４は、例えば、オーガスクリューの羽根１３ａと羽根１３ａとの間に、螺旋状に設けられている。
【００２７】
図１（ａ）に示すように、オーガヘッド１２は、オーガスクリュー１３の先端に取り付けられており、杭１を頭部から粉砕可能に構成されている。オーガヘッド１２は、ケーシング１１の内周面との間に間隔をあけて取り付けられている。オーガスクリュー１３は、オーガヘッド１２により粉砕された杭１および根固め３の粉砕物を、地上まで搬出可能に構成されている。また、オーガスクリュー１３は、ケーシング１１の後端より後方側に脱着部１３ｂを有し、脱着部１３ｂで分割可能に構成されている。オーガスクリュー１３は、脱着部１３ｂより先端側のロッドと後端側のロッドとを嵌合してピンで固定することによって組み立てられ、ピンを取り外してロッドを分解することによって分割可能に構成されている。オーガスクリュー１３は、ケーシング１１が取り付けられた先端部で、二重螺旋構造になっている。
【００２８】
本発明の実施の形態の既存杭の粉砕除去方法は、本発明の実施の形態の既存杭の粉砕除去装置１０により好適に実施される。本発明の実施の形態の既存杭の粉砕除去方法は、まず、オーガスクリュー１３とともにケーシング１１およびオーガヘッド１２を回転させ、ケーシング１１を回転掘削させながら杭１の周囲の地盤に挿入する。このとき、ケーシング１１の挿入とともに、ケーシング１１の内周面に中心軸方向に向かって突出するよう設けられた複数の内部カッター２２により、杭１の外周を切削することができる。また、各内部カッター２２が、ケーシング１１の先端からの距離がそれぞれ異なる位置に、ケーシング１１の先端側から後端側に向かって、ケーシング１１の内周面からの突出量が大きくなるよう設けられているため、ケーシング１１を深く挿入するに従って、各内部カッター２２による杭１の外周の切削量を徐々に増やすことができる。
【００２９】
同時に、ケーシング１１の挿入とともに、ケーシング１１の外周面に放射状に突出するよう設けられた複数の外部カッター２３により、杭の周囲の根固め３を粉砕することができる。特に、各外部カッター２３はケーシング１１の先端側から後端側に向かって、ケーシング１１の外周面からの突出量が大きくなっているため、ケーシング１１を深く挿入するに従って、外部カッター２３による根固め３の切削量を徐々に増やすことができる。このように、各外部カッター２３により、根固め３の粉砕が容易となり、工事コストの削減を図ることができる。
【００３０】
また、杭１の外周を切削しつつさらにケーシング１１を地盤に挿入させると、ケーシング１１の内側で回転するオーガヘッド１２が杭１の頭部に達し、オーガヘッド１２により杭１を頭部から粉砕することができる。このとき、あらかじめ各内部カッター２２により杭１の外周が切削されているため、オーガヘッド１２で容易に杭１を粉砕することができる。また、その粉砕物を、回転するオーガスクリュー１３により地上まで搬出することができる。また、根固め３の粉砕物も、オーガスクリュー１３により地上まで搬出することができる。
【００３１】
鉄板から成る杭１の継ぎ部２の部分では、ケーシング１１の先端からの距離がそれぞれ異なる位置に各内部カッター２２が設けられているため、ケーシング１１の先端側の突出量が小さい内部カッター２２が、継ぎ部２の側面を滑るようにして通過し、その後、継ぎ部２より下の杭１の外周を切削する。これにより、継ぎ部２を挟む上下の杭１の外周を切削することができる。この状態で、継ぎ部２より上の杭１を粉砕しつつオーガヘッド１２で継ぎ部２に衝撃を加えると、その継ぎ部２に加えられた衝撃力により、継ぎ部２の下の杭１の切削された部分を破壊することができる。これにより、継ぎ部２を削ったり破壊したりすることなく杭１から容易に分離することができ、オーガスクリュー１３により杭１の粉砕物とともに地上に搬出することができる。
【００３２】
この既存杭の粉砕除去装置１０および既存杭の粉砕除去方法は、杭１の継ぎ部２を容易に除去することができ、継ぎ部２の粉砕にかかっていた作業時間を短縮することができる。継ぎ部２を粉砕する必要がないため、オーガヘッド１２の損耗が少なく、継ぎ部２を削るための特殊なチップも不要であり、その材料費を低減することができる。また、継ぎ部２があっても、杭１を先端まで粉砕することができ、杭１を残さず容易に除去することができる。オーガスクリュー１３で搬出できずに地中に杭１や根固め３の粉砕物が残っていても、ハンマーグラブ等を利用することにより容易に除去することができる。杭１の除去後は、穴を埋め戻すとともに、その埋め戻し部の沈下や新設杭の偏心を防止するため、貧配合のソイルセメントなどを使用して地盤改良を行うことが好ましい。
【００３３】
既存杭の粉砕除去装置１０は、汎用機種の単軸式アースオーガ装置のオーガスクリュー１３にケーシング１１を固定することにより構成することができる。このため、二軸同軸式アースオーガ装置よりも安価に構成することができ、設備コストの低減を図ることができる。また、オーガスクリュー１３を地盤に挿入するための杭打ち機本体として、小型のものを使用することができ、設備コストの低減を図ることができる。また、ケーシング１１も、オーガスクリュー１３全体を覆う必要がなく、短くすることができ、さらに設備コストを低減することができる。
【００３４】
従来、例えば、杭径３２０ｍｍ、根固め径６００ｍｍの場合、８８０ｍｍ径のケーシングを用いる必要があり、掘削・埋め戻しの土量が０．６０８立方ｍであった。これに対し、この既存杭の粉砕除去装置１０および既存杭の粉砕除去方法によれば、６８０ｍｍ径のケーシング１１を用い、各外部カッター２３の突出量を１２０ｍｍとして、根固め３をすべて粉砕することができる。このとき、掘削・埋め戻しの土量は０．３６３立方ｍとなり、従来の方法に比べて、掘削・埋め戻しの土量を６０％削減することができる。このため、工事コストの削減を図ることができ、工事期間の短縮も可能となる。
【００３５】
この既存杭の粉砕除去装置１０および既存杭の粉砕除去方法は、各内部カッター２２で杭１の外周を切削することにより、杭１の粉砕や継ぎ部２の除去が容易になるため、オーガヘッド１２やオーガスクリュー１３の損耗を抑制することができる。
【００３６】
また、この既存杭の粉砕除去装置１０および既存杭の粉砕除去方法は、ケーシング１１を、ケーシング１１の長さ方向に沿って所定の長さに渡ってオーガスクリュー１３に固定するため、安定した状態で固定することができる。また、オーガヘッド１２がケーシング１１の内周面との間に間隔をあけて取り付けられているため、オーガヘッド１２で破砕した杭１の破砕物や継ぎ部２を、その間隔を通してオーガスクリュー１３まで容易に導くことができ、スムーズに地上まで搬出することができる。
【００３７】
また、この既存杭の粉砕除去装置１０および既存杭の粉砕除去方法は、各側面開口２４により、杭１の破砕物や継ぎ部２、根固め３の破砕物が、オーガスクリュー１３とケーシング１１との間で目詰まりするのを防ぐことができ、それらをスムーズに地上まで搬出することができる。
【００３８】
また、この既存杭の粉砕除去装置１０および既存杭の粉砕除去方法は、脱着部１３ｂでオーガスクリュー１３を小さく分割することができ、運搬や取扱いを容易にすることができる。また、ケーシング１１からずれた位置でオーガスクリュー１３の分割や組立を行うため、分割や組立を比較的スムーズに行うことができる。
【符号の説明】
【００３９】
１  杭
２  継ぎ部
３  根固め
１０  既存杭の粉砕除去装置
１１  ケーシング
２１  ケーシングビット
２２  内部カッター
２３  外部カッター
２４  側面開口
１２  オーガヘッド
１３  オーガスクリュー
１３ａ  羽根
１３ｂ  脱着部
【要約】
【課題】汎用機種の単軸式アースオーガ装置に対応可能で、設備コストの低減を図ることができる既存杭の粉砕除去装置および既存杭の粉砕除去方法を提供する。
【解決手段】ケーシング１１が、オーガスクリュー１３の先端に取り付けられたオーガヘッド１２の周囲を覆うよう、オーガスクリュー１３の先端部に固定されて、オーガスクリュー１３とともに回転する。ケーシング１１は、回転掘削しながら杭１の周囲の地盤に挿入されたとき杭１の外周を切削可能に、オーガヘッド１２より前方の内周面に、中心軸方向に向かって突出する複数の内部カッター２２を有する。オーガヘッド１２は、ケーシング１１が杭１の外周を切削するとき、オーガスクリュー１３とともに回転して、杭１を頭部から粉砕する。オーガスクリュー１３は、オーガヘッド１２により粉砕された杭１の粉砕物を地上まで搬出するよう回転可能に設けられる。
【選択図】図１【図２】
0005870228.tif 000002
【図１】
0005870228.tif 000003